(57)【要約】【課題】電源起動時や待機時に、ユーザ指定の画像やメッセージをコントロールパネルの画面に表示可能にした画像形成装置を提供する。【解決手段】原稿の画像情報を読み取るスキャナ部と、スキャナ部を含む画像入力部から入力された指定画像データを処理して出力する画像処理部と、操作キーと表示部を含むコントロールパネルと、画像処理部で処理した指定画像データを表示部に合った表示形式に変換処理して表示用の指定画像データを生成し、電源起動時又は待機時の選択モードにおいて表示部に表示する制御部と、を備える。【選択図】図４
2013162520.tif 000002
【特許請求の範囲】
【請求項１】
原稿の画像情報を読み取るスキャナ部と、
前記スキャナ部を含む画像入力部から入力された指定画像データを処理して出力する画像処理部と、
操作キーと表示部を含むコントロールパネルと、
前記画像処理部で処理した前記指定画像データを前記表示部に合った表示形式に変換処理して表示用の指定画像データを生成し、電源起動時又は待機時の選択モードにおいて前記表示部に表示する制御部と、
を備える画像形成装置。
【請求項２】
前記表示用の指定画像データを保存する登録部を備え、
前記制御部は、前記画像入力部から入力されたメッセージ情報又は前記コントロールパネルを操作して生成したメッセージ情報を処理し、前記表示用の指定画像データに前記メッセージ情報を関達づけて前記登録部に保存し、
前記選択モードにおいて、前記表示用の指定画像データと関連する前記メッセージ情報を前記表示部に表示する請求項１記載の画像形成装置。
【請求項３】
前記登録部は、複数の表示用の指定画像データを前記電源起動時又は待機モードの選択モード用に保存し、前記表示用の指定画像データを前記コントロールパネルの操作によって選択して前記表示部に表示可能にした請求項２記載の画像形成装置。
【請求項４】
前記画像入力部から入力された指定画像データは、前記スキャナ部で読み取った原稿の画像データ、又は外部の記憶媒体に記憶した画像データである請求項１記載の画像形成装置。
【請求項５】
前記制御部は、前記画像処理部で処理した前記指定画像データの解像度、位置、大きさを含む複数の調整項目を調整可能にした請求項１記載の画像形成装置。
【発明の詳細な説明】
【技術分野】
【０００１】
本発明の実施形態は、起動時または待機時にユーザ指定の任意の画像をコントロールパネルの画面に表示可能にした画像形成装置に関する。
【背景技術】
【０００２】
従来、ＭＦＰ等の画像形成装置では、電源を起動して通常の動作に入るまで多少の時間がかかるのが一般的である。そこで、装置の起動時に製品メーカ側が予め用意した固定画像データをコントロールパネルの画面に表示する機能があった。
【０００３】
しかしながら、起動時に表示される画像は、予め製品メーカ側が用意した固定の画像データや、「しばらくお待ち下さい」とった固定のメッセージを表示するだけである。このため、ユーザが希望する任意の画像を起動時や待機時にコントロールパネルに表示できないという欠点がある。
【先行技術文献】
【特許文献】
【０００４】
【特許文献１】特開平９−３２５９３８号公報
【発明の概要】
【発明が解決しようとする課題】
【０００５】
発明が解決しようとする課題は、電源起動時や待機時に、ユーザ指定の画像やメッセージをコントロールパネルの画面に表示可能にした画像形成装置を提供することにある。
【課題を解決するための手段】
【０００６】
実施形態に係る画像形成装置は、原稿の画像情報を読み取るスキャナ部と、前記スキャナ部を含む画像入力部から入力された指定画像データを処理して出力する画像処理部と、操作キーと表示部を含むコントロールパネルと、前記画像処理部で処理した前記指定画像データを前記表示部に合った表示形式に変換処理して表示用の指定画像データを生成し、電源起動時又は待機時の選択モードにおいて前記表示部に表示する制御部と、を備える。
【図面の簡単な説明】
【０００７】
【図１】一実施形態に係る画像形成装置を示す構成図。
【図２】一実施形態に係る画像形成装置の制御系を示すブロック図。
【図３】一実施形態におけるコントロールパネルの一例を示す説明図。
【図４】一実施形態におけるユーザ指定画像の表示例を示す説明図。
【図５】一実施形態におけるユーザ指定画像の他の表示例を示す説明図。
【図６】一実施形態における起動時／待機時のユーザ指定画像の登録動作を示すフローチャート。
【図７】一実施形態におけるコントロールパネルの画像登録画面を示す説明図。
【図８】コントロールパネルのメッセージ登録画面を示す説明図。
【図９】起動時におけるユーザ指定画像の表示動作を示すフローチャート。
【図１０】待機時におけるユーザ指定画像の表示動作を示すフローチャート。
【発明を実施するための形態】
【０００８】
以下、発明を実施するための実施形態について、図面を参照して説明する。尚、各図において同一箇所については同一の符号を付す。
【０００９】
（第１の実施形態）
図１は、一実施形態に係る画像形成装置を示す構成図である。図１において画像形成装置１０は、例えば複合機であるＭＦＰ（Multi-Function Peripherals）や、プリンタ、複写機等である。以下の説明では、画像形成装置１０としてＭＦＰを例に説明する。
【００１０】
ＭＦＰ１０の本体１１の上部には原稿台１２があり、原稿台１２上には自動原稿送り装置（ＡＤＦ）１３を開閉自在に設けている。また本体１１の上部にはコントロールパネル１４を設けている。コントロールパネル１４は、各種の操作キー１５と、タッチパネル式の表示部１６を有している。
【００１１】
本体１１内部にはスキャナ部１７とプリンタ部１８等の画像形成のための複数のユニットを有し、本体１１の下部には、各種サイズの用紙が収容された複数のカセット１９を設けている。スキャナ部１７は、ＡＤＦ１３によって送られる原稿、または原稿台１２上に置かれた原稿を読み取る。プリンタ部１８は、感光体ドラムとレーザ等を含み、スキャナ部１７で読み取った画像データや、ＰＣ（パーソナルコンピュータ）などで作成された画像データを処理して用紙に画像を形成する。
【００１２】
プリンタ部１８の画像形成部は、例えばレーザからのレーザビーム１によって感光体ドラム２の表面を走査して露光し、感光体ドラム２に静電潜像を作成する。感光体ドラム２の周辺には帯電器３、現像器４、転写器５などを配置している。感光体ドラム２の静電潜像は現像器４によって現像され、感光体ドラム２にトナー像を形成する。トナー像は転写器５によって転写ベルト６上にトナー像を形成する。
【００１３】
転写ベルト６のトナー像は２次転写ローラ７によって用紙Ｓ上に２次転写される。さらに用紙Ｓに転写したトナー像は、定着器８によって定着され、トナー像が定着され画像形成が完了した用紙Ｓは、排紙ローラ２０によって排紙部２１に排出する。カラー画像を形成する場合は、ブラック、マゼンタ、シアン、イエロー等の画像形成部（感光体ドラム２、帯電器３、現像器４、転写器５）を有するが、図１では１つの画像形成部のみを示している。プリンタ部１８の構成としては上述した例に限らず各種の方式がある。
【００１４】
また、ＭＦＰ１０がＩＣカードの認証機能を有する場合は、本体１１の上面に例えば、非接触式のカードリーダ・ライタ２２を設ける。カードリーダ・ライタ２２は、ユーザが携帯する記憶媒体（例えばＩＣカード２３）との間で通信可能である。ユーザはＩＣカード２３をカードリーダ・ライタ２２にかざすことで非接触に認証が行われ、認証されたユーザはＭＦＰ1０を利用することができる。ＩＣカード２３は、メモリを内蔵しており、メモリにはユーザＩＤ等の情報が記憶される。
【００１５】
また、ＩＣカード２３に代えてＵＳＢ（Universal Serial Bus）メモリを使用することもできる。例えば、本体１１の側面にＵＳＢポート２４を設ける。ＵＳＢポート２４には、可搬の記憶媒体であるＵＳＢメモリ２５が着脱可能である。ＵＳＢメモリ２５をＵＳＢポート２４に接続することにより、ユーザはＭＦＰ1０を利用することができる。ＵＳＢメモリ２５は、ＲＯＭを内蔵しており、ＲＯＭにはユーザＩＤ等の情報が記憶される。
【００１６】
図２は、ＭＦＰ１０の制御系を示すブロック図である。図２に示すように、ＭＦＰ１０は、コントロールパネル１４、スキャナ部１７、プリンタ部１８等のユニットのほかに、制御部であるシステム制御部３０、画像処理部３１、登録部３２、入出力デバイス３３及び外部インターフェース（Ｉ／Ｆ）制御部３４等の複数のユニットを有する。
【００１７】
システム制御部３０には、コントロールパネル１４が接続され、コントロールパネル１４の表示部１６に各種の設定画面を表示し、コントロールパネル１４を介して入力されるユーザの指示をシステム制御部３０に伝える。システム制御部３０はＣＰＵ３０１を有し、ＭＦＰ１０の各部を制御し、点線で示す制御ラインを介して制御信号を供給する。またシステム制御部３０は、ページメモリ３０２と解像度変換処理部３０３を含む。
【００１８】
また画像処理部３１にはスキャナ部１７が接続され、スキャナ部１７は原稿を読み取り、読み取った原稿画像を画像処理部３１で処理する。画像処理部３１によって処理した画像データはプリンタ部１８に出力する。プリンタ部１８では画像処理部３１からの画像データを基に用紙に印刷する。
【００１９】
スキャナ部１７、入出力デバイス３３及び外部Ｉ／Ｆ制御部３４は、画像入力部３５を構成し、プリンタ部１８は画像出力部を構成する。なお、画像処理部３１で処理した画像データはＨＤＤ等の記憶媒体に記憶され、必要に応じて読み出され、プリンタ部１８に出力される。
【００２０】
登録部３２は、ユーザ情報を保存するほか、ユーザ指定の表示用画像データやメッセージ情報等を保存するものであり、詳細は後述する。入出力デバイス３３は、ＩＣカード２３やＵＳＢメモリ２５等の記憶媒体からユーザＩＤや画像データを読取り、システム制御部３０に供給する。
【００２１】
システム制御部３０は登録部３２に記憶したユーザ情報とＩＣカード２３（又はＵＳＢメモリ２５）から読み取ったユーザＩＤを比較してユーザ認証を行い、認証したユーザにＭＦＰ１０の使用を許可する。またユーザはコントロールパネル１４の操作キー１５やタッチパネルの表示部１６を操作して、ユーザＩＤやパスワード等のユーザ情報を入力してＭＦＰ１０を使用することができる。
【００２２】
外部Ｉ／Ｆ制御部３４は、ＬＡＮ等のネットワークを介して外部機器、例えばＰＣ（パーソナルコンピュータ）等に接続されており、ＰＣ等からの画像データを受信して画像処理部３１に供給する。また入出力デバイス３３で読み取ったＩＣカード２３やＵＳＢメモリ２５等の記憶媒体に記憶した画像データを外部Ｉ／Ｆ制御部３４を介して画像処理部３１に供給する。
【００２３】
画像処理部３１は、画像入力部３５から入力された画像データ、即ち、スキャナ部１７で読み取った原稿の画像データや、入出力デバイス３３で読み取ったＩＣカード２３やＵＳＢメモリ２５等の記憶媒体に記憶した画像データ、及び外部Ｉ／Ｆ制御部３４を介して入力されたＰＣ等からの画像データを処理する。
【００２４】
図３は、コントロールパネル１４の一例を示している。コントロールパネル１４は、操作キー１５と表示部１６を有し、操作キー１５は、テンキー５１、リセットキー５２、ストップキー５３、スタートキー５４等を含む。表示部１６は、タッチパネルの機能を有し、表示部１６の画面は、インデックスボタン６０を選択することで、基本画面のほか、各種のメニュー画面を表示することができる。図３は、基本画面を示している。インデックスボタン６０としては、「基本」のほかに「応用」、「保存」、「設定」などがある。
【００２５】
次に、実施形態におけるコントロールパネル１４の画像登録処理の動作を説明する。実施形態においては、画像形成装置１０の起動時又は待機時に、ユーザが指定した任意の画像（ユーザ指定画像）やメッセージ情報をコントロールパネル１４の表示部１６に表示できるように登録することができる。
【００２６】
図４は、ユーザ指定画像の表示例を示す説明図である。図４では、ＭＦＰ１０の起動時（電源投入時）に、コントロールパネル１４の表示部１６に、ユーザ指定画像６１として、例えば「○○商会、ご利用ありがとうございます」などの画像が表示された例を示す。ユーザ指定画像６１は、文字、マーク、イラスト等を含む画像である。
【００２７】
図５は、ユーザ指定画像の他の表示例を示す説明図である。図５では、ＭＦＰ１０の待機時に、コントロールパネル１４の表示部１６に、ユーザ指定画像６１（例えば「○○商会」）のほかにメッセージ情報６２（例えば、「しばらくお待ち下さい。商品紹介…」）の画像が表示された例を示す。ＭＦＰ１０の待機時とは、例えば、メンテナンス時、トナー交換時、エラー発生時、節電モード時、各種の調整時など、待ち時間の状態である。
【００２８】
以下、図６〜図８を参照して、ＭＦＰ１０の起動時／待機時のユーザ指定画像の登録動作を説明する。
【００２９】
図６は登録動作の処理を示すフローチャートである。ユーザが、ＭＦＰ１０の電源起動時または待機時に任意の指定画像を表示させたい場合は、ユーザ指定画像の登録機能を指示することで、システム制御部３０のＣＰＵ３０１は、図６の処理を実行する。例えば、図３のインデックスボタン６０の「設定」を選択することで、表示部１６の画面は、図７（ａ）に示すようなユーザ画像登録画面に遷移する。
【００３０】
図７（ａ）のユーザ画像登録画面において、インデックス７１の「画像登録」を選択すると、画面には「起動時」、「待機時」が表示され、ＭＦＰ１０の起動時又は待機時のユーザ指定画像の登録処理が開始される。「起動時」又は「待機時」のいずれかが選択されると、ユーザ画像登録処理がスタートする。ここでは「起動時」を選択した場合を説明する。
【００３１】
図６の動作（Act）Ａ１では、原稿読取りか否かを判断する。即ち、表示部１６には、図７（ｂ）の画面が表示され、ＭＦＰ１０の起動時に表示するユーザ指定画像として、スキャナ部１７で原稿を読み取った画像を利用するか、外部インターフェース制御部３４からの画像（ＩＣカード２３又はＵＳＢメモリ２５に記憶した画像）を利用するかを確認する。つまり、ユーザは、「スキャナ」又は「外部Ｉ／Ｆ」のいずれを選択する。
【００３２】
例えば、「スキャナ」が選択されると、スキャナ部１７で原稿を読み取るものと判断し、動作Ａ２では、原稿読取時のモード（カラー、モノクロ）、解像度などのスキャンモードを選択する。次に動作Ａ３ではスキャナ部１７の動作を、指定したスキャンモードに合わせて設定する。また動作Ａ４では、スキャンモードを切替え、かつ指定したスキャンモードに合わせた処理を実行するように画像処理部３１のパラメータを設定する。
【００３３】
動作Ａ５では、ユーザが表示部１６の画面上に表示させたい原稿を原稿台１２に置き、スキャナ部１７で原稿の読取りを実行する。ユーザは表示部１６に表示する画像を任意に指定することができるため、著作権のある原稿をスキャンする場合を考慮して、表示部１６に注意メッセージ、例えば「画像表示しても問題はありませんか」を表示させ、ユーザ判断により原稿読取の継続／中止をさせることも可能である。
【００３４】
次に、動作Ａ６において画像処理部３１は、読み取った画像データを指定スキャンモードで処理した後、システム制御部３０のページメモリ３０２に画像データを一旦保存する。動作Ａ７では指定解像度を計算し、動作Ａ８ではページメモリ３０２から画像データを読出す。次の動作Ａ９で解像度変換処理部３０３は、スキャンした画像データを表示部１６に表示可能な解像度の画像データ（表示用の指定画像データ）に変換する。動作Ａ１０では、解像度を変換した画像データを表示用のユーザ指定画像データとしてシステム制御部３０が管理する登録部３２に保存する。
【００３５】
次に、動作Ａ１１では、登録部３２に保存された表示用のユーザ指定画像データをシステム制御部３１が読出し、コントロールパネル１４の表示部１６に表示する。動作Ａ１２では、表示部１６に表示された画像をユーザが確認し、表示画像がユーザの希望する表示エリアにあるか、また希望する大きさになっているかを判断する。
【００３６】
表示エリアや画像の大きさが希望と異なる場合は、動作Ａ１３において表示部１６の画面上のタッチパネルなどにより、画像表示エリアと倍率を指定し、動作Ａ７に戻す。動作Ａ７〜動作Ａ１２の処理により、希望の画像表示エリアや倍率等になるまで動作を繰り返す。したがって、表示部１６に合った表示形式に変換することができる。
【００３７】
動作Ａ１３では、例えば、図７（ｂ）の下位メニューとして、図７（ｃ）の画面に選択的に遷移させることができる。図７（ｃ）の画面で、「位置」（表示エリア）や「サイズ」（大きさ）、を選択することで、表示画像の表示位置や、大きさ等を調整する画面に移行し、任意に設定することができる。
【００３８】
次に、動作Ａ１４ではユーザ指定画像に任意のメッセージ情報を表示させるか否かを指定する。メッセージ情報を表示させる場合は、例えば図７（ａ）に示す画面において、インデックス７１の「メッセージ」を選択する。表示部１６の画面には、例えば図８（ａ）に示すようなメッセージ選択画面が表示される。メッセージ選択画面ではユーザがメッセージを「作成」するか、記憶媒体（ＩＣカード２３やＵＳＢメモリ２５）に記憶されたメッセージ情報を「選択」するかを選ぶことができる。
【００３９】
ユーザがメッセージを作成する場合、即ち図８（ａ）で「作成」ボタンを押したときは、動作Ａ１５でメッセージ情報を入力する。このとき表示部１６の画面は、図８（ｂ）に示すようにメッセージ作成用の画面となり、画面上のタッチパネルによりメッセージ情報を入力することができる。
【００４０】
動作Ａ１６では、表示部１６の画面を確認しながらメッセージ情報を表示させる表示位置とサイズを指定する。動作Ａ１６では、例えば、図７（ｃ）と同様の画面が表示され、表示位置とサイズを設定することができる。メッセージ情報の入力が完了した後、動作Ａ１７では登録部３２にメッセージ情報を保存する。さらに動作Ａ１８では、起動時にユーザ指定画像を表示するか、待機時にユーザ指定画像を表示するかを登録部３２に登録して終了する。またメッセージ情報が、起動時用または待機時用のユーザ指定画像に対応付けて登録される。これにより、ユーザ指定画像の登録表示機能が「有効」となる。
【００４１】
こうして電源起動時又は待機時の選択モードにおいて、ユーザ指定画像やメッセージ情報が表示部１６に表示される。
【００４２】
一方、動作Ａ１において、スキャナ部１７で原稿読取りをしない場合には、動作Ａ１９に移行し、外部Ｉ／Ｆ制御部３４からのユーザ指定画像を読込むか否かを確認する。外部Ｉ／Ｆ制御部３４からのユーザ指定画像を読み込む場合は、動作Ａ２０において、入出力デバイス３３に接続されたＩＣカード２３やＵＳＢメモリ２５などの記憶媒体からユーザ指定の画像データファイルを読み込む。ユーザ指定の画像データファイルとしては、ＴＩＦＦ（Tag Image File Format）、ＪＰＥＧ（Joint Photographic Expert Group）形式など、一般的な画像データ形式があり、動作Ａ２１ではシステム制御部３０で画像データフオーマット形式を判断する。
【００４３】
次に動作Ａ２２では、外部Ｉ／Ｆ制御部３４から取り込んだデータファイルの画像データを、解像度変換部３０３で表示部１６の表示解像度に変換し、動作Ａ１０に進んで、表示用のユーザ指定画像データとして登録部３２に保存する。動作Ａ１１以降は、スキャナ部１７で読み取った原稿の画像を処理する場合と同様の処理を行う。
【００４４】
また、スキャナ部１７により原稿を読み取った場合は、スキャンモードと組み合わせて画像処理部３１で色調整やコントラスト調整などの画像編集を行うことも可能である。画像編集を行う場合は、図７（ｃ）の「画像編集」を選択することで、色調整やコントラスト調整、或いはトリミング等を行うための下位画面に進むことができる。
【００４５】
尚、メッセージ情報６２として、文字入力を行う例を説明したが、文字の代わりにイラストや事前登録した画像データ等をシステム制御部３１で合成することも可能である。
【００４６】
また、表示部１６に表示するユーザ指定画像として静止画を表示する例を説明したが、システム制御部３０と画像処理部３１を動画データに対応したシステム構成とすることで、起動時又は待機時の選択モードにおいて、ユーザが希望する動画を表示部１６に表示することもできる。
【００４７】
図９は、ＭＦＰ１０の起動時におけるユーザ画像の表示動作を示すフローチャートである。図９において、動作Ａ３１でＭＦＰ１０の電源がオンされると、動作Ａ３２ではシステム制御部３０で起動処理を実行する。動作Ａ３３では、起動時用のユーザ指定画像の登録表示機能が有効か無効かを判断する。「有効」になっている場合は、動作Ａ３４で、登録部３２から起動時用のユーザ指定画像データを読み出す。
【００４８】
このあと、動作Ａ３５では読み出したユーザ指定画像データを表示部１６に表示する。また、動作Ａ３６では、登録部３２にユーザ指定のメッセージ情報が登録されているか否か（有効か否か）を判断する。メッセージ情報が登録されている場合は、動作Ａ３７で登録部３２に登録された起動時用のユーザ指定画像とメッセージ情報を合成し、表示部１６にユーザが指定した表示位置とサイズで表示する。
【００４９】
一方、動作Ａ３３で表示機能が無効の場合は、動作Ａ３８に進み、ＭＦＰ１０のデフォルトの起動時用の画像データをシステム制御部３０１から読み出し、動作Ａ３９で表示部１６にデフォルトの画像を表示する。
【００５０】
図１０は、ＭＦＰ１０の待機時におけるユーザ指定画像の表示動作を示すフローチャートである。図１０において、動作Ａ４０では、ＭＦＰ１０が待機モードにあるか否かを判断する。待機モードである場合は、動作Ａ４１で待機時用のユーザ指定画像の登録表示機能が有効か無効かを判断する。「有効」になっている場合は、動作Ａ４２で、登録部３２から待機時用のユーザ指定画像データを読み出す。動作Ａ４３では、読み出した待機時用のユーザ指定画像を表示部１６に表示する。また、動作Ａ４４では登録部３２にユーザ指定のメッセージ情報が登録されているか否か（有効か否か）を判断する。メッセージ情報が登録されている場合は、動作Ａ４５で登録部３２に登録された待機時用のユーザ指定画像とメッセージ情報を合成し、表示部１６にユーザが指定した表示位置とサイズで表示する。                            
一方、動作Ａ４１で、表示機能が無効の場合は、動作Ａ４６に進み、ＭＦＰ１０のデフォルトの待機時用の画像データをシステム制御部３０１から読み出し、動作Ａ４７で表示部１６にデフォルトの画像を表示する。
【００５１】
なお、待機時におけるユーザ画面の表示タイミングは、メンテナンス時、トナー交換時、エラー発生時、節電モード時のほかに、ユーザがプリント出力でプライベート印刷を指定し、ＭＦＰ１０の前でプライベート印刷の許可を得る操作をして画像出力を待つ間や、プリンタ部１８の画質安定性のための自動画像調整が実行され画像出力を待つ間などに表示する。また拡張機能として、ユーザ指定画像データを起動時や待機時だけでなく、通常に表示しているメニューの背景画像として壁紙のように合成することも考えられる。
【００５２】
以上述べた実施形態によれば、画像入力部３５からの指定画像データを、システム制御部３０で表示部１６の表示に合った表示形式に変換処理して表示用の指定画像データを生成し、登録部３２に保存することにより、ＭＦＰ１０の電源起動時、又は待機時の選択モードにおいてユーザ指定画像として表示することができる。
【００５３】
また、ユーザ指定画像に対して、ユーザが任意のメッセージ情報を関連付けて登録部３２に保存することで、表示部１６の画面にメッセージを合成して表示することができる。
【００５４】
また起動時又は待機時用ユーザ指定画像に対して、いくつかのメッセージ情報を事前に登録部３２に登録しておき、その中から希望するメッセージ情報を選択するようにしてもよい。さらにメッセージ情報をサムネイル画像として登録部３２に保存し、保存したサムネイル画像を用いて任意のメッセージ情報を選択して表示部１６に表示するようにしても良い。
【００５５】
例えば、図８（ａ）において「選択」ボタンを選択することで、図８（ｃ）の下位画面に移行し、複数のメッセージ情報のサムネイル画像６３を表示して、ユーザが任意のメッセージ情報を選択できるようにしてもよい。またメッセージ情報としては、文字に限らず、イラスト等を表示しても良い。
【００５６】
同様に、起動時又は待機時用のユーザ指定画像としては、予めスキャナ部で読み取った画像データや、入出力デバイス３３からのＵＳＢメモリ２５等に保存した画像データを登録部３２に複数個保存しておいて、その中から希望するものを選択するようにしてもよい。さらに複数のユーザ指定画像データをサムネイル画像として登録部３２に保存し、保存したサムネイル画像を用いて任意のユーザ指定画像を選択して表示部１６に表示するようにしても良い。
【００５７】
尚、本発明のいくつかの実施形態を述べたが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５８】
１０…画像形成装置
１４…コントロールパネル
１５…操作キー
１６…表示部
１７…スキャナ部
１８…プリンタ部
２３…ＩＣカード
２５…ＵＳＢメモリ
３０…システム制御部
３０１…ＣＰＵ
３０２…ページメモリ
３０３…解像度変換処理部
３１…画像処理部
３２…登録部
３３…入出力デバイス
３４…外部インターフェース制御部
３５…画像入力部
【図１】
2013162520.tif 000003
【図２】
2013162520.tif 000004
【図３】
2013162520.tif 000005
【図４】
2013162520.tif 000006
【図５】
2013162520.tif 000007
【図６】
2013162520.tif 000008
【図７】
2013162520.tif 000009
【図８】
2013162520.tif 000010
【図９】
2013162520.tif 000011
【図１０】
2013162520.tif 000012